(57)【要約】【課題】爪の夫々異なる部位に発症した爪変形を安全かつ容易に矯正治療可能とする、加圧平坦化作用を用いた多目的爪矯正具の提供。【解決手段】加圧具５１に具備する上側脚部８および下側脚部９の夫々対向面側であって、爪変形を発症している爪先端縁を上下から加圧付勢できる夫々加圧作業部位に配設される、爪幅方向へ長く略矩形状に形成された上側平坦化用板１と下側平坦化用板２で成る多目的爪矯正具１０Ａは、該上側平坦化用板１および該下側平坦化用板２が対向する爪接触面部の夫々に平坦化矯正面部３が形成され、また、前記下側平坦化用板２の長手方向の両側端部またはいずれか片側端部には舌状傾斜部４を備えて成されたことで、第１矯正目的の爪甲部湾曲変形部位２２や第２矯正目的の屈曲変形フランジ状部２３など夫々異なる爪部位に発症した爪変形を加圧平坦化により矯正治療が行える。【選択図】図３
2018108316.tif 000002
【特許請求の範囲】
【請求項１】
第１矯正目的である湾曲変形爪の矯正、および第２矯正目的である爪側端縁部屈曲変形の矯正、を達成するため、
加圧具を形成する、前記変形爪の夫々爪先端縁を挟設できるよう対向し且つ上下から加圧付勢できるよう設けられた上側脚部および下側脚部の夫々加圧作業部位に配設される、上側平坦化用板および下側平坦化用板の対で成る爪矯正具において、
前記上側脚部に備わる前記上側平坦化用板および前記下側脚部に備わる前記下側平坦化用板は、爪幅方向へ長い略矩形状に形成され、
また該上側平坦化用板と該下側平坦化用板が対向する夫々の爪接触面部は第１および第２矯正目的を達成するための平坦化矯正面部を成しており、
また、上下で成す前記平坦化作用板の少なくとも下側平坦化用板の、長手方向の両側端部またはいずれか片側端部には、第２矯正目的の達成を補完する予備矯正部である舌状傾斜部を備えて形成され、
これらの構成により、上下対で成す前記平坦化作用板が前記加圧具により加圧付勢されることで、上下該作用板の対向間隙へ挿設された第１および第２矯正目的である夫々変形爪は加圧平坦化され、矯正が成されることを特徴とする、多目的爪矯正具。
【請求項２】
加圧具がクランプ型で成ることを特徴とする請求項１記載のクランプ型多目的爪矯正具。
【請求項３】
加圧具がプライヤー型で成ることを特徴とする請求項１記載のプライヤー型多目的爪矯正具。
【請求項４】
加圧具がクリップ型で成ることを特徴とする請求項１記載のクリップ型多目的爪矯正具。
【発明の詳細な説明】
【技術分野】
【０００１】本発明は、第１矯正目的の爪甲部湾曲状変形部位および第２矯正目的の爪側端縁部屈曲状変形部位を、加圧具の加圧力を付勢する、上下で対向して成る上側脚部および下側脚部の夫々加圧作業部位に設けられた、上下対の平坦化用板で成る爪矯正具を用いて、加圧平坦化作用により矯正治療できる多目的爪矯正具に関する。
【背景技術】
【０００２】従来の変形爪を治療する矯正具の発明においては、爪先端縁に装着し、爪形を略平状へ矯正する矯正具が提案されている。【０００３】例えば、本願出願人は、先に、断面略Ｕ字状に形成された矯正具を爪先端縁の平坦部へ装着した後、湾曲変形爪縁部まで横摺動させて、変形爪の矯正を行う、横摺動挿設による矯正法を特徴とする巻き爪矯正具が提案されている。（特許文献１）【０００４】また、本願出願人は、前記巻き爪矯正具のほかに、塑性材で形成された矯正具に備わる収容間隙へ湾曲変形している爪先端縁を挿入した後、該間隙に挿入された該陥入爪とともに該陥入爪矯正具を塑性加工によって略平状へ挟圧し、塑性変形させることで該陥入爪の矯正ができる陥入爪矯正具も提案されている。（特許文献２）【０００５】また、本願出願人は、前述巻き爪矯正具のほかに、弾性を有する材によって爪幅方向へ長く筒状に成形された筒体には、該筒体の長手方向両側端部にかけて形成されたスリットを備え、該スリットの対向端面には爪の先端縁に差し込まれて該爪を挟持する上側保持部と下側保持部とがあり、該下側保持部の少なくとも一部には平面状部を備え、該平面状部の摺動方向端部に垂直方向で設けられた成形用側壁とを用いて、下方へ屈曲し嵌入している爪縁端部を引っ掛けて削ぎ落とし、圧潰することで略平状に矯正できる爪矯正具も提案されている。（特許文献３）
【先行技術文献】
【特許文献】
【０００６】
【特許文献１】特開２００６−３１４７４８号公報
【特許文献２】特開２００８−２９５９８２号公報
【特許文献３】特開２０１５−２３１５０７号公報
【発明の概要】
【発明が解決しようとする課題】
【０００７】本発明者が陥入爪の発症について鋭意検討した結果、湾曲状に変形した爪縁部が爪郭または爪溝に嵌入して陥入爪を発症する、というのが今までの定説であったが、それだけでなく、爪側端縁部には爪形を保持するための補強目的で下方へ折り曲がったフランジ状が形成されているのだが、該フランジ状部へ靴や靴下などの締め付けや圧迫によりさらに内方向へ鋭角状を強めた屈曲変形フランジ状部（以下、「屈曲変形部」という）が、爪郭または爪溝の軟部組織を刺激し、腫脹や刺傷を伴う陥入爪が発症していることを判明した。【０００８】これに対し、本出願人が先に提案した前記文献１に掲げた該巻き爪矯正具においては、該巻き爪矯正具の横摺動を円滑にするための横摺動緩衝曲面を下側脚部の両側端部に具備していることで、爪幅略中央の平坦な爪先端縁へ装着された該巻き爪矯正具を該横摺動緩衝曲面の緩衝作用を用いて円滑に横摺動しながら爪縁端部にまで移動することで、湾曲変形した爪を平坦状へ矯正治療する手段であるが、当時、屈曲変形部の存在は知見されておらず、そのため爪甲に発症した湾曲変形部位の矯正を目的とするに留まっており、爪縁端部位の屈曲変形部を平坦状に矯正する機能や手段が付されてないという問題がある。【０００９】前記文献２に掲げた陥入爪矯正具も本出願人が先に提案した矯正具であるが、
変形爪先端縁が収納できる長手方向両側端部へ渡って開口された収容間隙を備えた略コ字状陥入爪矯正具の該収容間隙へ湾曲変形爪を発症している爪先端縁を収容した状態で、該収納間隙を閉じるように該矯正具本体を上下から挟圧によって塑性変形させることで、収容されている変形爪も平状へ圧潰矯正するのだが、爪側端縁部の屈曲変形部を外方向へ平状に横倒変形する手段を付加した矯正能を有していないため、爪溝内でさらに内方向へ陥入するよう鋭角状に変形した該屈曲変形部を挟圧した場合、該屈曲変形部は爪郭軟部組織の一部を巻き込んだ状態で内方向へ圧潰させてしまうことで、刺傷をさらに悪化させてしまう危険な状況を招く問題がある。また、前記文献１同様、屈曲変形部については当時まだ知見されておらず、該屈曲変形部を安全に平坦化矯正する機能や手段が付されてないという問題がある。【００１０】また、前記文献３に掲げた爪矯正具も本出願人が先に提案したものである。当時、屈曲変形部を知見し、該屈曲変形部位の矯正手段を導入した該爪矯正具を発明したのであるが、該矯正具の矯正手段は、爪幅略中央部の平坦爪先端縁部を該矯正具のスリット部へ差し込み、陥入爪を発症している屈曲変形部にまで横摺動することで、該矯正具に具備する成形用側壁によって屈曲変形部を引っ掛けて削ぎ落とすという効果が得られる。しかし、爪厚が薄かったり、爪質の脆弱化が進んでいたりしている場合、該成形用側壁に屈曲変形部を引っ掛けて摺動する際、該屈曲変形部が削られずに引っ掛けた状態で、生爪を剥いだり、屈曲変形部を含む近傍の爪甲を欠損させたり、爪割りを起こさせたり等、症状をさらに悪化させる危険な状況を招くという問題がある。【００１１】本発明の目的は、これらの課題を解決し、且つ、第１矯正目的である湾曲変形部位（以下、「第１爪変形部位」という）および第２矯正目的である爪郭軟部組織に埋没した屈曲変形部（以下、「第２爪変形部位」という）など、夫々異なる爪部位に発症した爪変形を安全かつ容易に略平状へ矯正治療が行える、加圧平坦化作用を用いた多目的爪矯正具を提供することにある。
【課題を解決するための手段】
【００１２】以上の課題を解決するための、本発明多目的爪矯正具１０Ａは、
主に爪甲で発症する第１爪変形部位２２および爪側端縁フランジ状部で発症する第２爪変形部位２３など、夫々の爪変形を発症している爪先端縁部位を、加圧具に備わり付勢力を伝達する上下脚部８、９の該加圧作業部位に配設される上側平坦化用板１と下側平坦化用板２の夫々対向面部に設けられた矯正面部の夫々が成す間隙へ、矯正面適応変形爪部を挿入したことで、該加圧具の加圧付勢により該変形爪を加圧平坦化し、矯正できる。
なお、該上側平坦化用板１と該下側平坦化用板２は、金属材または樹脂材またはセラミックス材またはエラストマー材を用い、爪幅方向へ長い略矩形状に形成される。
また、前記第１爪変形部位２２および前記第２爪変形部位２３の夫々を加圧平坦化する前記上側平坦化用板１および前記下側平坦化用板２が対向する夫々の爪接触面部は平滑面で成る平坦化矯正面部３が設けられ、また、該上側平坦化用板１または該下側平坦化用板２または上下夫々該板１、２の、長手方向の両側端部またはいずれか片側端部には第２矯正目的の達成を補完する予備矯正部位である舌状傾斜部を備えて成されており、
これらの構成により、第１的爪変形部位および第２爪変形部位のように異なる爪部位に発症した変形爪の矯正治療が行える多目的矯正具であることを特徴とする。【００１３】このような構成による矯正手段の一例を図２を参照しながら説明する。なお本発明の要旨を損なわない範囲で任意に矯正手段を変更して実施可能である。
（１）先ず、爪形を緩めるため、略４０℃のお湯に１０分以上の適宜時間漬けてふやかす。該作業は側鎖結合の水素結合を変性させたのだが、当然シスチン結合、イオン結合の変性も選択は可能である。また、爪質や爪郭裂傷など症状を鑑み行わない場合もある。
（２）該第１爪変形部位２２爪先端縁を、加圧具の加圧作業部位に設けられた上側平坦化用板１と下側平坦化用板２とが対向して成る間隙へ挿入する。（図２ａ）
（３）前記上側平坦化用板１と前記下側平坦化用板２の対向する間隙へ挿設された前記第１爪変形部位２２の爪先端縁は上下外側から加圧具によって多目的爪矯正具１０Ａが加圧付勢されることで該第１爪変形部位２２は加圧平坦化される。（図２ｂ）
（４）加圧具の加圧付勢により前記上側平坦化用板１と前記下側平坦化用板２が挟圧作用し、前記第１爪変形部位２２は加圧平坦化されたことで略平状へ矯正された。平坦化が確認されたのち、該上側平坦化用板１と該下側平坦化用板２の対向する間隙へ爪先端縁を挿入した状態を維持しながら、爪側端縁が鋭角に変形した前記第２矯正目的の屈曲変形部２３の側端部を、舌状傾斜部４の端部方向略１／２の傾斜部位置まで横移動または横摺動する。（図２ｃ）
（５）舌状傾斜部４と上側平坦化用板１との間隙に挿設された前記屈曲変形部２３は、加圧具の加圧付勢によって外方へ鈍角状態に加圧横倒される。（図２ｄ）
（６）前記施術によって前記屈曲変形部２３が外方へ鈍角状に横倒されたのを確認した後、該屈曲変形部２３の爪先端縁を前記上側平坦化用板１と前記下側平坦化用板２の対向する平坦部位間隙へ挿入し、前記加圧具を用いて加圧付勢を加える。（図２ｅ）
（７）これらの施術工程を経ることで、前記第１爪変形部位２２および前記屈曲変形部２３は加圧平坦化され、矯正された。（図２ｆ）
（８）このように、爪の２箇所に発症した夫々の変形部位が１つの矯正具により安全で且つ容易に平坦化され矯正される効果が期待できる。（図２ｇ）
【発明の効果】
【００１４】以上のように本発明の多目的爪矯正具１０Ａは、上下で成る加圧平坦化用板１、２の対向する面に第１爪変形部位２２の平坦化作用を促す平坦化矯正面部３を備え、また、該下側平坦化用板２の両側端部または片側端部には第２爪変形部位２３を外方へ鈍角状に横倒させることで第２矯正目的を補完する舌状傾斜部４を備えて成している。
第１矯正目的部位は爪甲部２１に発症した第１爪変形部位２２を加圧平坦化による矯正作業部位であって、また、第２矯正目的部位は爪側端縁フランジ状部２０に発症した第２爪変形部位２３を鈍角状へ横倒矯正するための矯正作業部位であって、該多目的爪矯正具１０Ａはこれらの矯正作業部位で構成されている。
このように、変形爪の変形部位ごとに矯正具の夫々適宜矯正作業部位で矯正分担ができるように、例えば、前記第１爪変形部位２２は第１矯正目的部位の作用である上下平坦化作用板１、２が成す平坦化矯正面部３の対向間隙に挿設することよって矯正することができ、また、第２矯正目的部位の作用である内方へ倒れて鋭角を強め屈曲を成した前記第２爪変形部位２３であっても予備矯正部である舌状傾斜部４と上側平坦化用板１の対向間隙に挿設することよって該第２爪変形部位２３は外方へ横倒され、次工程で、該第２爪変形部位２３は該上下平坦化作用板の該平坦化矯正面部３の対向間隙に挿設することよって加圧平坦化され矯正される。このように、異なる爪部位に発症した夫々の変形爪は割裂や生爪が剥がされることなく、安全且つ容易に矯正できる効果が得られる。【００１５】また、加圧具が固定用締め具であるクランプの加圧作業部位に本発明の多目的爪矯正具１０Ａを装備した前記クランプ型多目的爪矯正具５１は、変形爪の爪先端縁を前記上側平坦化用板１と前記下側平坦化用板２とで該圧縮コイルバネの加圧力付勢により締め付けることで、長時間固定状態で加圧平坦化できる矯正効果が得られる。【００１６】また、加圧具が握力調整挟圧具であるプライヤーの加圧作業部位に本発明の多目的爪矯正具１０Ａが装着されたプライヤー型多目的爪矯正具５２は、操作用ハンドル部１０を握ることによって上下脚部８、９が対向方向へ挟圧付勢することで、該加圧作業部に備わる上側平坦化用板１と下側平坦化用板２とにより変形爪を加圧平坦化できる矯正効果が得られる。これにより、施術者の手の握力による加圧力の調整が可能なため、被爪の矯正経過様態を手で感じながら繊細な施術が行える効果があるとともに、矯正施術中の事故を未然に防げる効果も得られる。【００１７】また、加圧具が弾性力付勢固定具であるクリップの加圧作業部位に本発明の多目的爪矯正具１０Ａが装着されたクリップ型多目的爪矯正具５３は、前記クランプ型加圧矯正具５１と比較し、構造が簡易、且つ軽量で小型に製造できることで、爪先端縁に挟設しても爪への負担が軽減でき、且つ少部品数、量産化、輸送費など製造および管理のコスト削減等の効果が得られる。
【図面の簡単な説明】
【００１８】
【図１】本発明の多目的爪矯正具１０Ａの一例を示す斜視図である。
【図２】第一趾爪に第１爪変形部位２２および第２爪変形部位２３を発症している爪形の矯正手順を示す正面図。
【図３】加圧具が固定用締め具であるクランプの加圧作業部位に本発明の多目的爪矯正具１０Ａを装備したクランプ型多目的爪矯正具５１の（ａ）は正面図、（ｂ）は斜視図。
【図４】加圧具が握力調整挟圧具であるプライヤーの加圧作業部位に本発明の多目的爪矯正具１０Ａが装着されたプライヤー型多目的爪矯正具５２の斜視図。
【図５】加圧具が弾性力付勢固定具であるクリップの加圧作業部位に本発明の多目的爪矯正具１０Ａが装着されたクリップ型多目的爪矯正具５３の斜視図。
【図６】爪甲２１部位の片側湾曲変形および爪縁端フランジ部位２０の屈曲変形を発症している第一趾変形爪の一症例を表した正面図。
【発明を実施するための形態】
【００１９】以下、本発明を実施するための形態について適宜図面を参照しながら説明するが、本実施形態は以下の内容に限定されるものではなく、本発明の要旨を損なわない範囲で任意に変更して実施可能である。また、本発明の多目的矯正具１０Ａによる変形爪の加圧平坦化矯正治療が安全に行える程度の加圧力で付勢できれば、加圧具においても以下に限定されるものではなく、任意に選択し実施可能である。
【実施形態】
【実施例１】
【００２０】図１は本発明の多目的矯正具１０Ａの実施形態である。第１矯正目的および第２矯正目的を達成する矯正作用部位である上側平坦化用板１および下側平坦化用板２において、該上側平坦化用板１はステンレス製の厚さ１ｍｍ、爪幅方向長手（以下、「長手」という）２０ｍｍ、短手方向（以下、「幅長」という）５ｍｍ、下方面部は平坦で成し、該下側平坦化用板２はステンレス製の厚さ１ｍｍ、長手２０ｍｍ、幅長５ｍｍ、上方面部は平坦、上方面部で且つ長手方向両側端部であって且つ夫々上方面部該長手方向端部から内方向２ｍｍ位置より外方へ向かって下面端部まで凸湾曲状の傾斜面を成す第２矯正の予備矯正部位である舌状傾斜部４を備えて、成している。【００２１】なお、各寸法は変形爪の形状や厚さや脆性化など爪質を鑑み適宜変更されてもよい。【００２２】また、上下夫々の前記平坦化用板１、２はステンレス鋼で成形されたが、樹脂からも適宜選択できる。例えば、ＡＢＳの他スチレン共重合体、ＰＥ、ＰＰ、ＰＳ、ＰＶＣ、ＦＲＰ、アイオノマー、アクリル、ＰＥＴなども使用可能である。【００２３】また、金属においては例えば、鋼、合金鋼、ステンレス鋼、銅合金、チタン、チタン合金、コバルト合金、形状記憶合金等も使用できる。
【実施例２】
【００２４】本発明の実施の形態を表す図３に示されたとおり、クランプ型多目的爪矯正具５１はクランプ型加圧具に備わる上下脚部８、９に設けられる加圧作業部位に本発明の多目的爪矯正具１０Ａが配設されて成るものである。【００２５】前記クランプ型多目的爪矯正具５１の上側脚部８先端方向で且つ幅方向略中央に設けられた支軸挿入孔７に収容された該上側平坦化用板１に固着し且つ該上側平坦化用板１と上下応動することで該上側平坦化用板１と該下側平坦化用板２とで成す間隙を開閉操作できる支軸レバー５と、該支軸レバー５と上側平坦化用板１との間であって且つ該支軸レバー５の外周には上側平坦化用板１を爪縁部上面側から下方へ爪形を平坦にできる加圧力に調整された圧縮コイルバネを付勢手段として備え、下側脚部９先端方向に下側平坦化用板２が設けられたたことでクランプ型多目的爪矯正具５１は成されている。【００２６】なお、変形爪を加圧付勢の作用をもって矯正できるのであれば、クランプ型多目的爪矯正具５１の加圧付勢の手段は、前記圧縮コイルバネに限らず、ラチェット式やネジ締め付け式やトグル式や引きコイルバネ式から任意に用いられてもよい。
【実施例３】
【００２７】本発明の実施の形態を表す図４に示されたとおり、上下脚部８、９略先端近傍の適宜作業部位で使用するプライヤー型多目的爪矯正具５２であって、該プライヤー型多目的爪矯正具５２に備わる該上下脚部８、９の長手方向と前記多目的爪矯正具１０Ａの長手方向とが同方向と成るよう該上下脚部８、９の加圧作業部位に配設されて成るものである。【００２８】前記プライヤー型多目的爪矯正具５２は、上側脚部８の一方の端部に上側平坦化用板１が備わるとともに他方の端部に操作用ハンドル１０が形成されている。また、下側脚部９の一方の端部には舌状傾斜部４が先端側部に設けられて成る下側平坦化用板２が備わるとともに他方の端部には操作用ハンドル１０が形成されている。さらに、該上側脚部８と該下側脚部９の上下夫々の該脚部が交差する当接部には回動可能な軸留めが設けられ、該上下脚部の前記多目的爪矯正具１０Ａを配設されている一方の端部が他方の端部に備わる操作用ハンドル１０によって開閉できるよう支軸１２されている。
また、該上下の平坦化用板１、２が対向する面部で成す間隙へ変形爪が挿設される。
これにより、該変形爪の加圧平坦化を可能とする加圧力の付勢手段は前記操作用ハンドル１０を握力の力加減で加圧付勢される。
これらの構成によりプライヤー型多目的爪矯正具５２は成されている。
尚、前記上下脚部８、９が対向する間隙が閉じられた際、前記上下平坦化用板１、２に形成された上下面で成す平坦化矯正面部３は密着するよう少なくとも上下平坦化用板１、２の作業部位は平行になるよう設けられることが望ましい。
【実施例４】
【００２９】本発明の実施の形態を表す図５に示されたとおり、クリップ型多目的爪矯正具５３の爪接触先端部に本発明の多目的爪矯正具１０Ａを装備して成るものである。【００３０】上側脚部８の一方の端部に上側平坦化用板１が備わるとともに他方の端部には操作用ハンドル１０が形成されている。また、下側平坦化用板２の一方の端部には舌状傾斜部４が両側端部に設けられて成る下側平坦化用板２が備わるとともに他方の端部には操作用ハンドル１０が形成されている。さらに、該上側脚部８と該下側脚部９の両側側面部位の略中央部が折り曲げられ、該折り曲げられた上下夫々の該脚部当接部にハトメ加工による回動可能な軸留めが設けられ、該上下脚部の先端部位が開閉できるよう支軸１２されている。また、該上下の平坦化用板１、２が対向し当接することで変形爪の加圧平坦化を可能とする加圧力の付勢手段は該上下脚部８、９の夫々裏面部に板バネが付勢するよう接合されている。これらの構成によりクリップ型多目的爪矯正具５３は成されている。【００３１】なお、前記クリップの加圧力付勢手段は板バネを用いているが、付勢手段は、圧縮コイルバネや引きコイルバネや本体に挟圧力付勢能を有する弾性材一体成形のクリップを用いてもよい。【００３２】尚、本発明の下側平坦化用板２に備わる平坦化矯正面部３および該矯正面部３と一体で連なる舌状傾斜部４は、爪先端縁部への装着時や湾曲変形部位２２および屈曲変形部２３を矯正する際の移動時に滑動でき、且つ加圧平坦化の作用を妨げることなく略平状へ矯正治療が行えれば、本実施例に拘ることなく該下側平坦化用板２の長手方向長さおよび短手方向幅長および舌状傾斜部の形状は爪形や爪変形症状により適宜変更されてもよい。
【産業上の利用可能性】
【００３３】本発明は、医療用器具および美容器具の産業界において利用できる。
【符号の説明】
【００３４】１０Ａ・・・多目的爪矯正具
５１・・・クランプ型多目的爪矯正具
５２・・・プライヤー型多目的爪矯正具
５３・・・クリップ型多目的爪矯正具
１・・・上側平坦化用板
２・・・下側平坦化用板
３・・・平坦化矯正面部
４・・・舌状傾斜部
５・・・支軸レバー
６・・・圧縮コイルバネ
７・・・支軸挿入孔
８・・・上側脚部
９・・・下側脚部
１０・・・操作用ハンドル
１１・・・板バネ
１２・・・支軸
１５・・・加圧
２０・・・爪側端縁フランジ状部
２１・・・爪甲
２２・・・湾曲変形部位
２３・・・屈曲変形フランジ状部
【図１】
2018108316.tif 000003
【図２】
2018108316.tif 000004
【図３】
2018108316.tif 000005
【図４】
2018108316.tif 000006
【図５】
2018108316.tif 000007
【図６】
2018108316.tif 000008